(57)【特許請求の範囲】
【請求項１】
主フレームと、主フレームの軸方向に摺動する筒状部材と、筒状部材にそれぞれ回動可能に連結されている前脚部材、後脚部材及び座面部材と、座面部材の回動に伴い上下に伸縮する袋体とから成る折り畳み可能な歩行補助車において、筒状部材２に回動可能に操作部材６を連結すると共に操作部材６と主フレーム１下部とをリンク７で連結し、もって操作部材６を下方へ回動させるとリンク７が主フレーム１を下方へ押し下げ歩行補助車を折畳んだ状態へ移行させ、逆に歩行補助車が折り畳まれた状態において操作部材６を上方へ回動させるとリンク７が主フレーム１を上方へ引き上げ展開した状態へ移行させるようにしたこと、操作部材６と筒状部材２との間に引張りバネ８を介在させ、該引き張りバネ８の引き張り作用により操作部材６の回動動作を制御し、もって歩行補助車の展開状態及び折畳み状態を保持するようにしたことを特徴とする歩行補助車。
【発明の詳細な説明】
【技術分野】
【０００１】
本発明は老人等の下肢が弱っている者の歩行補助に用いられる歩行補助車に関し、より詳しくはショッピングカートとしての収納能力に富み、また、着座可能であり、しかも折り畳み可能な歩行補助車に関する。
【背景技術】
【０００２】
本件出願人は実用新案登録第２６０３０２１号において着座可能であると共に収納能力に富み、しかも折り畳み可能な歩行補助車を提案している。この歩行補助車は主フレームと、主フレームの軸方向に摺動する筒状部材と、筒状部材にそれぞれ回動可能に連結されている前脚部材、後脚部材及び座面部材と、座面部材の回動に伴い上下に伸縮する収納袋とから成るものである。
【実用新案文献１】
【０００３】
実用新案登録第２６０３０２１号公報
【発明の開示】
【発明が解決しようとする課題】
【０００４】
上述の実用新案登録第２６０３０２１号は収納袋の収納能力も高く、また着座可能であり、しかも折り畳み可能なものであり、使い勝手に富む有用な考案である。ただ、折り畳んだ状態から展開した状態へ、あるいは展開した状態から折り畳んだ状態への移行がしづらいものであった。
【０００５】
そこで本発明は折り畳んだ状態から展開した状態へ、あるいは展開した状態から折り畳んだ状態への移行がしやすく、しかも展開した状態を維持するためのロック機構をも有する歩行補助車を提供することを目的とする。
【課題を解決するための手段】
【０００６】
上記課題を解決するために本発明は、主フレームと、主フレームの軸方向に摺動する筒状部材と、筒状部材にそれぞれ回動可能に連結されている前脚部材、後脚部材及び座面部材と、座面部材の回動に伴い上下に伸縮する袋体とから成る折り畳み可能な歩行補助車において、筒状部材に回動可能に操作部材を連結すると共に操作部材と主フレーム下部とをリンクで連結し、もって操作部材を下方へ回動させるとリンクが主フレームを下方へ押し下げ歩行補助車を折畳んだ状態へ移行させ、逆に歩行補助車が折り畳まれた状態において操作部材を上方へ回動させるとリンクが主フレームを上方へ引き上げ展開した状態へ移行させるによう構成した。
【０００７】
以下、かように構成される本発明が如何に作用して課題を解決するかを図面を参照しながら述べる。
【０００８】
図１は本発明に係る歩行補助車を展開した状態での斜視図であり、図２は本発明に係る歩行補助車を折り畳んだ状態での斜視図であり、図４は筒状部材付近の要部拡大図であり、図５は図４において筒状部材と操作部材及びリンクとの関係を示したＡ矢視図である。
【０００９】
本発明に係る歩行補助車において、操作部材６は筒状部材２と回動可能に設けられている。また、操作部材６と主フレーム１の下部はリンク７で連結されており、しかも筒状部材２は主フレーム２に対し軸方向に摺動可能なものである。
【００１０】
よって、図１に示す展開状態から図２に示す折り畳んだ状態への移行は、操作部材６を下方へ回動させることで可能となるのである。つまり、操作部材６を下方へ回動させると、操作部材６がリンク７を介して主フレーム１を軸方向へ押し下げる。しかも前脚部材３及び後脚部材４はそれぞれ筒状部材２に回動可能に設けられていることから、リンク９及びリンク１０を介して歩行補助車を展開状態から折り畳んだ状態へと移行させることができるのである。
【００１１】
逆に図２に示すように歩行補助車を折り畳んだ状態において、下方に回動された位置にある操作部材６を上方に回動させると展開した状態に移行させることができる。なぜなら、操作部材６を上方に回動させると主フレーム１はリンク７により軸方向に上方へ引き上げられ、リンク９及びリンク１０を介して前脚部材３及び後脚部材４は展開するからである。
【００１２】
かように本発明によれば折り畳んだ状態から展開した状態へ、あるいは展開した状態から折り畳んだ状態への移行が容易に行えるのである。
【００１３】
又本発明に係る歩行補助車においては、操作部材と筒状部材との間に引張りバネを介在させ、該引き張りバネの引き張り作用により操作部材の回動動作を制御し、もって歩行補助車の展開状態及び折畳み状態を保持するようにしてある。この保持作用等を示すものが図４及び図５である。
【００１４】
図５に示すように操作部材６を下方へ回動させた状態（歩行補助車を折り畳んだ状態）では引張バネ８は引き伸ばされている。係る状態から操作部材６を上方へ回動させると（歩行補助車を展開した状態に移行させると）、引張バネ８は伸張した後収縮する。引張バネ８の引張り力によりリンク７は引張バネ８の基点８ａの前方（図５においては左側）に移動し、つまりは引張りバネ８の引き張り作用により操作部材６の下方への回動動作が制御され、歩行補助車の展開した状態をロックするのである。逆に言えば操作部材６を下方へ回動させた状態（歩行補助者を折畳んだ状態）においても引張りバネ８の引き張り力により、つまり操作部材６を上方へ回動させるためには引き張りばね８を伸ばす力が必要であることから、操作部材６の回動動作が制御され、もって歩行補助車の折畳み状体が保持されるのである。
【００１５】
かようにして本発明では歩行補助車の展開した状態をロックすることが可能となるのである。
【発明の効果】
【００１６】
本発明は以上のように構成されていることから、折り畳んだ状態から展開した状態へ、あるいは展開した状態から折り畳んだ状態への移行がしやすく、しかも展開した状態を維持するためのロック機構をも有する歩行補助車を提供することが可能となるのである。
【発明を実施するための最良の形態】
【００１７】
以下、好ましい発明の実施形態につき図面を参照しながら述べる。
【００１８】
図３は本発明の骨組みを示す斜視図である。略コ字状の主フレーム１には一対の筒状部材２が、筒状部材２内に主フレーム１を緩挿する形態で、摺動するように設けられている。また、主フレーム１の下端はリンク９と回動可能に連結されている。リンク９は略コ字状のリンク１０と回動可能に連結されている。更にリンク９は後脚部材４と、リンク１０は前脚部材３とそれぞれ回動可能に連結されている。
【００１９】
略直線形状の後脚部材４は一対設けられており、その下端には後輪４ａを上端には肘掛部４ｂを装備するものである。一対の後脚部材４・４にわたり補強部材１１が設けられている。
【００２０】
屈曲した形状の前脚部材３は一対設けられており、その下端には前輪３ａを装備するものである。一対の前脚部材３・３にわたり補強部材１２が設けられている。
【００２１】
筒状部材２には前脚部材３、後脚部材４、座面部材５、操作部材６及び袋体支持部材１３がそれぞれ回動可能に取り付けられている。ここに略コ字状を呈する座面部材５、略コ字状を呈する操作部材６及び略コ字状を呈する袋体支持部材１３は、それぞれ一対の筒状部材２・２にわたり回動可能に設けられている。また筒状部材２・２にわたり背凭れ支持部材１４が設けられている。
【００２２】
より詳しくは、図４に示すように支持凸部２ａに前脚部材３、座面部材５及び後脚部材４が回動可能に設けられており、支持凸部２ｂに操作部材６が回動可能に設けられており、支持凸部２ｃに袋体支持部材１３が回動可能に設けられている。また、図５に示すように操作部材６と支持凸部２ａとにわたり引張バネ８が設けてある。
【００２３】
操作部材６の両側部には一対のリンク７が連結されており、各リンク７の下端は主フレーム１の両側部下端付近と連結されている。
【００２４】
座面部材５にはシートが被せられており、該シート内に板材等の補強板を装入することで図１に示すような着座可能な座席部１５が形成される。
【００２５】
また、座席部１５と隣接して背凭れ部１６が設けてある。この背凭れ部１６は背凭れ支持部材１４で支持されるものである。
【００２６】
荷物を収納する袋体１７は進行逆方向側で袋体支持部材１３に掛止される形状で支持されている。また、進行方向側では図示されていないが前脚部材３に鋲着等の方法で支持されている。更には、袋体１７内に荷物を収納した際にはリンク１０が荷重を支える働きをなす。
【００２７】
座面部材５が筒状部材２に回動可能に設けられているが故に、座席部１５は起倒自在となる。袋体１７内への荷物の収納は座席部１５を起こして収納するか、或は進行逆方向側に設けた蓋体１８を持ち上げて収納するものである。
【００２８】
また、袋体１７の上縁部１７ａは図６に示すように座席部１５に取り付けることで座席部１５の起倒に応じて伸縮する形状に設けてある。
【図面の簡単な説明】
【００２９】
【図１】本発明に係る歩行補助車を展開した状態での斜視図。
【図２】本発明に係る歩行補助車を折り畳んだ状態での斜視図。
【図３】本発明の骨組みを示す斜視図。
【図４】筒状部材付近の要部拡大図。
【図５】図４において筒状部材と操作部材及びリンクとの関係を示したＡ矢視図。
【図６】座席部を起こした状態の斜視図。
【符号の説明】
【００３０】
１・・主フレーム      ２・・筒状部材
３・・前脚部材      ４・・後脚部材
５・・座面部材      ６・・操作部材
７・・リンク      ８．・引張バネ
１７・・袋体
【図１】
0003865725.tif 000002
【図２】
0003865725.tif 000003
【図３】
0003865725.tif 000004
【図４】
0003865725.tif 000005
【図５】
0003865725.tif 000006
【図６】
0003865725.tif 000007